(57)【要約】【課題】肩部の上端枠部の上面に弾性反発装置用の穴を形成した炊飯器において、穴内への浸水を防止する。【解決手段】肩部１ａの上端枠部１１の上面に突部１１ｃを形成し、突部１１ｃの上面中央に弾性反発装置１３を内側に配置するための穴１１ｄを形成することにより、穴１１ｄの周囲が上端枠部１１の上面に突出している構成とした。【選択図】図３
2007301146.tif 000002
【特許請求の範囲】
【請求項１】
上端開放の内鍋設置室を有する器体と、
前記器体に対しヒンジを介して開閉自在に取り付けられ開成側にトルク付勢された蓋体と、
前記蓋体に設けられ、前記内鍋設置室の上端枠部が形成された器体肩部に係合する蓋フックと、
前記蓋体に設けられ、前記蓋フックの係合を解除する操作ボタンと、
前記上端枠部の上面に開口する穴の内側に配置され、前記蓋体の閉成回転によりその蓋体で圧縮される弾性反発装置とを備え、
前記穴の周囲が前記上端枠部の上面に突出している炊飯器。
【請求項２】
前記弾性反発装置が、取付状態で前記穴の内周全周に亘って接触する弾性ゴムからなる請求項１に記載の炊飯器。
【請求項３】
前記穴の周囲を形成する突部の上面は前記上端枠部の内周上端部より外側に位置し、その内周上端部は前記突部の上面より高く突出している請求項１又は２に記載の炊飯器。
【請求項４】
前記器体の内部空間に配置された充電部が前記穴の下方から外れている請求項１から３のいずれかに記載の炊飯器。
【発明の詳細な説明】
【技術分野】
【０００１】
この発明は、炊飯器に関し、特に、蓋フックの二度掛りを防止する弾性反発装置の取付け構造に関する。
【背景技術】
【０００２】
一般に、炊飯器は、上端開放の内鍋設置室を有する器体と、器体に対しヒンジを介して開閉自在に取り付けられ開成側にトルク付勢された蓋体とを備えている。内鍋設置室は、器体肩部に形成された上端枠部と、この上端枠部に連設された上端開放の外容器とで形成されている。内鍋設置室の室内側又は室外側には加熱手段が設けられている。室内側に設ける場合、加熱板等のヒータが配置される。室外側に設ける場合、電磁誘導加熱方式が採用されており、外容器は上下端開放の内胴枠と加熱コイルが装着される保護枠とから構成される。
【０００３】
上記のような炊飯器の中には、蓋体側に、閉成回転により肩部の凹部に対して自動的に係合する蓋フックと、この蓋フックの係合を解除する操作ボタンとが設けられたものがある。
【０００４】
蓋体は、蓋フックと凹部の係合により閉成位置にロックされる。蓋フックは、係合位置に向けて常時付勢されている。操作ボタンが押下げられると、蓋フックが係合位置から後退させられ、その結果、前記の係合が解除されるようになっている。係合が解除されると、蓋体が開成側にトルク付勢されているため、蓋体が自然と開成回転を開始する。このため、ユーザは、操作ボタンを押す指を直ぐに離すことになる。
【０００５】
ここで、操作ボタンは、蓋フックの係合を解除した後に待機位置へ自動復帰するようになっている。このため、蓋体の開成回転の速度が遅いと、上記操作ボタンが自動復帰したとき、上記蓋フックの先端が未だに凹部を向いている位置にあり、常時付勢により蓋フックが係合位置に戻り凹部に再係合する、再掛りが起こり易い。
【０００６】
上記の再掛り現象を防止するため、肩部の上端枠部の上面に、前記蓋体の閉成回転によりその蓋体の下端部で圧縮される弾性反発装置を備えた炊飯器がある。
【０００７】
弾性反発装置には、弾性部材から構成されたもの、又は弾性部材とこの上端に被さるブッシュとから構成されたものがある。
【０００８】
この種の弾性反発装置を備えた炊飯器には、肩部の上端枠部の上面に開口する穴の内側に弾性反発装置を配置し、弾性反発装置等の位置決めや抜け止めを実施したものがある。蓋フックの係合解除により、弾性反発装置は圧縮状態から直ちに弾性回復して蓋体を開成側に押し上げる。その結果、蓋体の開成回転初期の回転速度が高められ、再掛りが防止される（例えば、特許文献１）。
【０００９】
【特許文献１】特開平１０−２１６０１２号公報
【発明の開示】
【発明が解決しようとする課題】
【００１０】
しかしながら、前掲の特許文献１のように、弾性反発装置用の穴が肩部の上端枠部の上面に開口する炊飯器では、上端枠部の上面に水が付着すると、成形の都合等で穴が器体の内部空間に達する貫通孔の場合に器体の内部空間に配置された充電部への浸水が問題になる。また、穴が下端閉塞の非貫通孔に形成されている場合でも、穴内に浸水することは衛生上好ましくない。
【００１１】
そこで、この発明の課題は、肩部の上端枠部の上面に弾性反発装置用の穴を形成した炊飯器において、穴内への浸水を防止することにある。
【課題を解決するための手段】
【００１２】
上記の課題を達成するため、この発明は、上端開放の内鍋設置室を有する器体と、前記器体に対しヒンジを介して開閉自在に取り付けられ開成側にトルク付勢された蓋体と、前記蓋体に設けられ、前記内鍋設置室の上端枠部が形成された器体肩部に係合する蓋フックと、前記蓋体に設けられ、前記蓋フックの係合を解除する操作ボタンと、前記上端枠部の上面に開口する穴の内側に配置され、前記蓋体の閉成回転によりその蓋体で圧縮される弾性反発装置とを備え、前記穴の周囲が前記上端枠部の上面に突出している炊飯器構成を採用したものである。
【００１３】
上記構成によれば、前記穴の周囲が前記上端枠部の上面に突出しているため、上端枠部の上面に付着した水が前記穴に達し難くなり、穴内への浸水を防止することができる。
【００１４】
前記穴は、器体の内部空間に達する貫通孔、又は下端閉塞の非貫通孔に形成される。
【００１５】
上記構成において、前記弾性反発装置が取付状態で前記穴の内周全周に亘って接触する弾性ゴムからなる構成を採用すれば、前記穴の周囲に水が付着しても前記穴と前記弾性反発装置の間でシールされるので、前記穴内により浸水し難くなる。
また、前記蓋体の閉成時においては、前記弾性反発装置が前記蓋体に圧縮されることにより弾性ゴムからなる弾性反発装置の外周がさらに前記穴の内周に押し付けられるため、炊飯時により確実なシール効果を得ることができる。
【００１６】
また、上記構成において、前記穴の周囲を形成する突部の上面は前記上端枠部の内周上端部より外側に位置し、その内周上端部は前記突部の上面より高く突出している構成を採用すれば、前記突部の上面に付着した水は、前記内周上端部により上端枠部からの流下が防止されるので、前記内鍋設置室の底側高温部分に達し難くなり、炊飯時の蒸発音を防止することができる。
【００１７】
また、上記構成においては、前記器体の内部空間に配置された充電部が前記穴の下方から外れている構成を採用することができる。前記穴が貫通孔であったり、前記穴の下端閉塞部にクラックが生じたりしている場合、前記穴内の浸水が器体内に落下する恐れがあるが、前記穴の下方に充電部がないため、電気的な安全性は確保される。
【発明の効果】
【００１８】
上述のように、この発明は、上記構成の採用により、肩部の上端枠部の上面に弾性反発装置用の穴を形成した炊飯器において、穴内への浸水を防止することができる。
【発明を実施するための最良の形態】
【００１９】
以下、この発明の第１実施形態に係る炊飯器を添付図面に基づいて説明する。
図１に示すように、第１実施形態に係る炊飯器は、上端開放状の器体１と、この器体１の開放部分を閉じる蓋体２とを有するものである。器体１の内部には、内鍋３が収容される上端開放の内鍋設置室４が形成されている。
【００２０】
器体１は、全体として略直方体状に形成されており、その上端部を構成する肩部１ａと、この肩部１ａと上下に嵌合される胴部１ｂと、この胴部１ｂと上下に嵌合される底部１ｃとを有する。器体１は、肩部１ａと底部１ｃが胴部１ｂを挟んで締結されることにより一体化されている。なお、肩部１ａと胴部１ｂを一体に設けることもできる。
【００２１】
上記肩部１ａは、合成樹脂の成形品とされており、その側周は、図２に示すように、略矩形の環状になっている。この肩部１ａの側周のさらに内側には、内鍔状に上端枠部１１が形成されている。上記内鍋設置室４は、その上端枠部１１と、この下面に結合された上端開放状の外容器５とで形成されている。外容器５の底部には、内鍋３が載置される加熱板６が取り付けられている。加熱板６は、外容器５の内底面近傍に配置されている。
【００２２】
肩部１ａの一短手部には、ヒンジ２１を介して蓋体２が開閉自在に取り付けられている。蓋体２は、ヒンジ２１に通されたヒンジばねにより（図示省略）開成側にトルク付勢されている。
【００２３】
上記蓋体２には、閉成回転により肩部１ａの凹部１２に対して自動的に係合する蓋フック２２と、その係合を解除する操作ボタン２３とが設けられている。
【００２４】
具体的には、蓋フック２２が、係合位置に向けて常時付勢されており、蓋体２の閉成回転時に肩部１ａと斜め接触することにより係合位置から後退させられ、その後に自然と凹部１２に入って係合するようになっている。この係合により、蓋体２が閉成状態にロックされる。このロック状態から操作ボタン２３が押下げられることにより操作ボタン２３が蓋フック２２を係合位置から後退させ、やがて蓋フック２２が凹部１２から抜ける。このようにして蓋フック２２の係合が解除されると、蓋体２が開成側にトルク付勢されているため、蓋体２が自然と開成回転を開始する。なお、操作ボタン２３は、ばね付勢により蓋フック２２の係合を解除した後に待機位置へ自動復帰するようになっている。
【００２５】
一方、肩部１ａの他短手部には、液晶表示装置７が格納されている。液晶表示装置７は、液晶表示画面とその制御回路を有する表示基板７１と、表示基板７１に電源を供給する電源基板７２とを有する。表示基板７１は、図１、図２に示すように、水平に対して肩部１ａの一短手側に位置する辺部が上側になる傾斜姿勢で肩部１ａにねじ止めされている。電源基板７２は、水平姿勢で肩部１ａにねじ止めされている。
【００２６】
図１に示すように、前記上端枠部１１の内周上端部１１ａは、設置された内鍋３のフランジの下方に位置し、上端枠部１１の上面で内鍋３からの吹き零れを受けられるように突出している。上端枠部１１の下面には、外容器５を取り囲む遮熱壁１１ｂが一体に設けられている。
【００２７】
図１、図３に示すように、上端枠部１１の上面のうち、ヒンジ２１と反対側には、突部１１ｃが形成されている。
【００２８】
なお、この第１実施形態では、上記突部１１ｃと上端枠部１１の他の部分、突部１１ｃと肩部１ａの他の内周部分がＲ状に連続している。これは、汚れ落としの容易化を図るためである。
【００２９】
上記突部１１ｃの上面中央に穴１１ｄが開口している。このため、穴１１ｄの周囲は、上端枠部１１に突出している。上端枠部１１のうち、突部１１ｃの周方向両側に位置する部分に付着した水は、突部１１ｃの突出高さにより穴１１ｄに達し難くなっている。このため、穴１１ｄへの浸水が防止される。
【００３０】
取付穴１１ｄの周囲を形成する突部１１ｃの上面は上端枠部１１の内周上端部１１ａより外側に位置し、その内周上端部１１ａは突部１１ｃの上面より高く突出している。このため、突部１１ｃの上面に付着した水は、前記内鍋３側に流れた場合でも内周上端部１１ａにより防ぎ止められて周方向両側に流下する。流下した液体は、上端枠部１１の内周上端部１１ａにより上端枠部１１の上面に留められる。したがって、この第１実施形態では、前記内鍋設置室４の底側高温部分に達し難くなり、炊飯時の蒸発音を防止することができる。
【００３１】
上記穴１１ｄは、器体１の内部空間に達する貫通孔になっており、その上端開口から下向きに形成された大径円筒穴部と、大径円筒穴から下向きに器体１の内部に開放された下絞りテーパ穴部とから形成された段付孔になっている。
【００３２】
穴１１ｄの内側には、蓋体２の閉成回転によりその蓋体２で圧縮される弾性反発装置１３が配置されている。
【００３３】
弾性反発装置１３は、穴１１ｄの大径円筒穴部の内周に嵌合する円筒外周部１３ａと穴１１ｄのテーパ穴部を押し通される抜け止め部１３ｂとが一体に設けられた弾性ゴムからなる。
【００３４】
円筒外周部１３ａの外径は、穴１１ｄの大径円筒穴部の内径に対し正の締め代を有している。抜け止め部１３ｂは、円筒外周部１３ａの下面中央部に連設された軸部と下向きの円錐状部分とを有している。
【００３５】
弾性反発装置１３は、穴１１ｄに上方から挿入される。抜け止め部１３ｂの円錐状部分は、穴１１ｄを通過した後、図３（ｂ）に示すように、穴１１ｄの下端開口縁と上下に対し、弾性反発装置１３の上動を規制する。このとき、円筒外周部１３ａは、上端部分を除いて穴１１ｄの大径円筒穴部の内周に押し込まれており、上記正の締め代により全周に亘って確実に接触する。
【００３６】
上述の弾性反発装置１３の取付状態では、円筒外周部１３ａの下面外周部が穴１１ｄの大径円筒穴部とテーパ穴部間の段差により受け止められている。このため、弾性反発装置１３が器体１内に落下することはない。
【００３７】
また、円筒外周部１３ａの外周と穴１１ｄの大径円筒穴部の内周は、上記正の締め代により全周に亘った押し付け接触状態になっている。その結果、穴１１ｄの周囲に水が付着しても穴１１ｄと弾性反発装置１３の間でシールされる。このため、穴１１ｄ内への浸水がより確実に防止される。また、弾性反発装置１３の水平方向動も確実に規制される。
【００３８】
なお、抜け止め部１３ｂの円錐状部分は、抜け止めに十分な強度を有する外径とされ、結果的に穴１１ｄの下端開口を閉塞している。これにより、器体１内への浸水を防止している。
【００３９】
また、弾性反発装置１３のうち、円筒外周部１３ａの上端部分は、突部１１ｃの上面より高い位置にあり、図３（ｂ）中に二点鎖線で示すように、上記蓋体２の閉成回転によりその蓋体２の下端部２４に圧縮される。その結果、弾性反発装置１３は、図３（ｂ）中に実線で示すように、蓋体２が閉成状態で下端部２４により圧縮状態に保たれる。
【００４０】
図１に示す蓋フック２２の係合が解除されると、弾性反発装置１３は直ちに弾性回復して蓋体下端部２４を上方に押す。その結果、蓋体２は前記ヒンジ２１と反対側に位置する弾性反発装置１３から開成側のトルク付勢を受けるようになっている。
【００４１】
蓋体２の閉成時においては、弾性反発装置１３のうち、円筒外周部１３ａの外周がさらに穴１１ｄの大径円筒穴部の内周に押し付けられるため、炊飯時により確実なシール効果を得られる。特に、この第１実施形態では、弾性反発装置１３の外周と穴１１ｄの内周とが円筒面で嵌合するため、弾性反発装置１３の外周嵌合部分は均一に圧迫され易くなり、シール効果の確実性を高めることができる。
【００４２】
また、この第１実施形態では、弾性反発装置１３の上端部分の外周をＲ状に形成することにより、清掃時に指や布が弾性反発装置１３に引っ掛かることを防止している。
【００４３】
さらに、この第１実施形態では、器体１の内部空間に配置された充電部が取付穴１１ｄの下方から外れている。具体的には、穴１１ｄの下方近傍には、充電部である上記電源基板７２が配置されているが、図２に示すように、その電源基板７２は、穴１１ｄの下方に位置する領域が空所になっている。電源基板７２の下方には、充電部が配置されていない（図１参照）。したがって、仮に、穴１１ｄから器体１内への浸水があったとしても、電気的な安全性は確保される。
【００４４】
また、この第１実施形態では、図４に蓋フック２２を鎖線で示すように、蓋体２と肩部１ａとの間の隙間から浸水があったとしても、蓋フック２２が穴１１ｄの上方を覆うため、その浸水が穴１１ｄに達することは防止される。
【００４５】
また、この第１実施形態では、蓋フック２２が蓋体２の幅方向中心線上に位置し（図４に蓋体の幅方向中心線を一点鎖線で示した）、弾性反発装置１３が凹部１２に係合する上記蓋フック２２の下方に位置するようになっている（図３、図４参照）。これらの構成は、蓋体２の構成部材の経年変化、量産に伴う成形・組立て誤差等によって生じる蓋体２の閉まり具合の経年変化や製品間のバラツキを抑制する点で有利である。
【００４６】
具体的には、蓋体２の外殻は、幅方向中心線を境として略対象構造になっているため、その幅方向中心付近は、構成部材の経年変化等による形状誤差の発生が他の部分より少ない。このように形状誤差の発生が少ない部分に蓋フック２２を配置することにより、蓋フック２２と凹部１２の係合位置関係に関して経年変化やバラツキが抑制される。
【００４７】
また、弾性反発装置１３が凹部１２に係合する上記蓋フック２２の下方に位置するため、弾性反発装置１３によるトルク付勢は、蓋体２の幅方向中心付近に集中して作用する。このため、蓋体２に幅方向中心線回りの捻れが生じ難く、構成部材の経年変化が抑制される。この作用は、この第１実施形態のように、弾性反発装置１３が蓋体２の幅方向中心線の真下に位置していると、特に効果的に奏される。
【００４８】
上記第１実施形態では、上記弾性反発装置１３を一部材で構成したが、複数の部材から構成することもできる。以下、一例として、この発明の第２実施形態を図５に基づいて説明する。なお、上記第１実施形態との相違点を中心に述べ、同一に考えられる構成の説明を省略し、適宜に同符号を用いる。
【００４９】
第２実施形態では、上記弾性反発装置１３に相当する機能部分が、図５に示すように、圧縮コイルばね５１と、この圧縮コイルばね５１と別体に設けられた抜け止め部材５２とで構成されている。
【００５０】
圧縮コイルばね５１の上端を抜け止め部材５２に通して軸頭部分に当接させた状態で、圧縮コイルばね５１と抜け止め部材５２とを穴１１ｄに挿入し、圧縮コイルばね５１の下端を穴１１ｄの内周段差に当てて抜け止め部材５２を押し込むと、圧縮コイルばね５１が抜け止め部材５２の軸頭部分で抜け止めされると共に、穴１１ｄの内面の段差により受けられる。
【００５１】
圧縮コイルばね５１の外周と穴１１ｄの大径円筒穴部の内周との間には、隙間が少し空いている。これは、圧縮コイルばね５１が抜け止め部材５２の軸頭部分と突部１１ｃの上面との間に挟まれることを防止するためである。
【００５２】
上記第２実施形態のように、弾性部と抜け止め部とを別体に設けることにより、弾性部の弾性反発力、抜け止め部の強度といった所望の性能を、それぞれ独立に変更することができる点で有利である。
【図面の簡単な説明】
【００５３】
【図１】第１実施形態に係る炊飯器の縦断面図
【図２】図１に示す肩部の下面側から視た部分拡大斜視図
【図３】（ａ）図１に示す突部の上面側から視た部分拡大斜視図、（ｂ）図１に示す突部の部分拡大断面図
【図４】図３（ｂ）に示す貫通孔を下方から示す部分拡大下面図
【図５】第２実施形態を示す拡大断面図
【符号の説明】
【００５４】
１  器体
１ａ  肩部
２  蓋体
３  内鍋
４  内鍋設置室
５  外容器
６  加熱板
７  液晶表示装置
１１  上端枠部
１１ａ  内周上端部
１１ｂ  遮熱壁
１１ｃ  突部
１１ｄ  取付穴（穴）
１２  凹部
１３  弾性反発装置
１３ａ  円筒外周部
１３ｂ  抜け止め部
２１  ヒンジ
２２  蓋フック
２３  操作ボタン
２４  蓋体下端部
５１  圧縮コイルばね
５２  抜け止め部材
７１  表示基板
７２  電源基板
【図１】
2007301146.tif 000003
【図２】
2007301146.tif 000004
【図３】
2007301146.tif 000005
【図４】
2007301146.tif 000006
【図５】
2007301146.tif 000007